(57)【要約】【課題】  その目的は、小型化、並びに、ハブに対する通信端末機器の接続用コードの接続作業性の向上等を実現できる分岐箱を提供する。【解決手段】  ベースプレート２と、該ベースプレート２に被せられる蓋部材３とから構成された分岐箱本体４に、光電変換を行うメディアコンバータ５と、ハブ６とを収容した分岐箱１であって、前記分岐箱本体４に前記メディアコンバータ５と前記ハブ６とが積層されて収容され、前記ハブ６の一端部２６には、端末機器の接続用コード２２が接続されるコネクタ接続部２３が設けられており、前記コネクタ接続部２３は、前記分岐箱本体４の一端部に形成された開口部１７内に配置されており、前記開口部１７にて、前記接続用コード２２の前記コネクタ接続部２３に対する着脱作業を行えるようになっている。【選択図】    図１
2005191321.tif 000002
【特許請求の範囲】
【請求項１】
ベースプレート（２）と、該ベースプレートに被せられる蓋部材（３）とから構成された分岐箱本体（４）に、光電変換を行うメディアコンバータ（５）と、ハブ（６）とを収容した分岐箱であって、
前記分岐箱本体に前記メディアコンバータと前記ハブとが積層されて収容され、前記ハブの一端部（２６）には、端末機器の接続用コード（２２）が接続されるコネクタ接続部（２３）が設けられており、前記コネクタ接続部は、前記分岐箱本体の一端部に形成された開口部（１７）内に配置されており、前記蓋部材を前記ベースプレートに被せた状態において前記開口部にて、前記接続用コードの前記コネクタ接続部に対する着脱作業を行えるようになっていることを特徴とする分岐箱（１）。
【請求項２】
前記メディアコンバータと前記ハブとの間には、放熱空間（５１）が確保されていることを特徴とする請求項１記載の分岐箱。
【請求項３】
前記放熱空間は、前記メディアコンバータと前記ハブとを接続するユニット間接続用コード（２４）の余長を収納できることを特徴とする請求項１または請求項２記載の分岐箱。
【請求項４】
前記放熱空間は、前記ユニット間接続用コードの余長の収納を行うための入口を前記開口部側に有する構成であり、前記放熱空間よりも前記開口部側には、前記放熱空間に収納した余長の飛び出しを規制する飛び出し規制部材（５２）が設けられていることを特徴とする請求項１から請求項３のいずれか１項に記載の分岐箱。
【請求項５】
前記蓋部材の前記開口部には、のれん状に形成された弾性部材（１９）が前記開口部を塞ぐように取り付けられていることを特徴とする請求項１から請求項４のいずれか１項に記載の分岐箱。
【請求項６】
前記メディアコンバータ及び前記ハブから前記分岐箱本体の外に引き出されて前記分岐箱の外部の電源コンセント（５７）に接続される給電線（５５，５６）を有することを特徴とする請求項１から請求項５のいずれか１項に記載の分岐箱。
【発明の詳細な説明】
【技術分野】
【０００１】
本発明は、メディアコンバータとハブが搭載された分岐箱に関する。
【背景技術】
【０００２】
例えば、光通信ケーブルと、建物内部等にある通信端末機器との接続では、光信号と電気信号との変換を行うメディアコンバータに光ファイバを接続し、前記メディアコンバータにハブ（ＨＵＢ）を介して１又は複数の通信端末機器を接続するシステム（方法）が広く採用されている（例えば、特許文献１参照。）。また、近年では、メディアコンバータとハブとが一つの筐体内に収納された構成の分岐箱が普及しつつある。
【特許文献１】特開２００３−１４９４６１号公報
【０００３】
図７は、上述した分岐箱１０１の一例を示す。
図７において、分岐箱１０１は、分岐箱本体１０２内に、メディアコンバータ１０３と、ハブ１０４と、コンセント１０７とを収容した構成になっている。分岐箱本体１０２は、ベースプレート１０８と、このベースプレート１０８を覆う蓋部材１０９とから構成されており、ベースプレート１０８上にメディアコンバータ１０３と、ハブ１０４と、コンセント１０７とが取付けられている。ここで、メディアコンバータ１０３とハブ１０４とは、ベースプレート１０８上に横並びに配置されている。蓋部材１０９は、ネジ等によりベースプレート１０８に固定されている。
メディアコンバータ１０３の箱形のユニットである本体１１２（以下、メディアコンバータ本体）には、分岐箱本体１０２に引き入れられた光ファイバコード１１０の光コネクタ１１０ａが接続される光コネクタ接続部１１１と、該メディアコンバータ１０３とハブ１０４との間を電気的に接続するユニット間接続用コード１１３の一端のコネクタ１１３ａが接続されるユニット間接続部１１４（電気コネクタ。ジャック）とが設けられている。
ハブ１０４のハブ本体１０５は、箱形のユニットであり、ユニット間接続用コード１１３の他端に設けられたコネクタ１１３ｂが接続されるユニット間接続部１１５と、通信端末機器の接続用コード１１６のコネクタ１１６ａが接続されるコネクタ接続部１１７とが設けられている。また、メディアコンバータ１０３とハブ１０４の給電線１１８，１１９は、電源コンセント１０７に接続されている。
【発明の開示】
【発明が解決しようとする課題】
【０００４】
近年、上述した分岐箱１０１においては小型化が要求されている。しかし、上述した構成では以下のような問題があった。
（ａ）分岐箱本体１０２内にメディアコンバータ１０３と、ハブ１０４と、コンセント１０７とを搭載していることにより、分岐箱本体１０２の小型化が困難である。
（ｂ）メディアコンバータ１０３とハブ１０４とがベースプレート１０８上に横並びに配置されていることにより、占有面積が大きくなってしまうので、分岐箱本体１０２の小型化が困難である。
（ｃ）蓋部材１０９をベースプレート１０８から離脱しないと、コネクタ１１６ａの着脱ができない。
【０００５】
この発明は、このような事情を考慮してなされたもので、その目的は、小型化、並びに、ハブに対する通信端末機器の接続用コードの接続作業性の向上等を実現できる分岐箱を提供することにある。
【課題を解決するための手段】
【０００６】
上記目的を達成するために、この発明は以下の手段を提案している。
請求項１に係る発明は、ベースプレートと、該ベースプレートに被せられる蓋部材とから構成された分岐箱本体に、光電変換を行うメディアコンバータと、ハブとを収容した分岐箱であって、前記分岐箱本体に前記メディアコンバータと前記ハブとが積層されて収容され、前記ハブの一端部には、端末機器の接続用コードが接続されるコネクタ接続部が設けられており、前記コネクタ接続部は、前記分岐箱本体の一端部に形成された開口部内に配置されており、蓋部材をベースプレートに被せた状態において前記開口部にて、前記接続用コードの前記コネクタ接続部に対する着脱作業を行えるようになっていることを特徴とする分岐箱である。
請求項２に係る発明は、前記メディアコンバータと前記ハブとの間には、放熱空間が確保されていることを特徴とする分岐箱である。
請求項３に係る発明は、前記放熱空間は、前記メディアコンバータと前記ハブとを接続するユニット間接続用コードの余長を収納できることを特徴とする分岐箱である。
請求項４に係る発明は、前記放熱空間は、前記ユニット間接続用コードの余長の収納を行うための入口を前記開口部側に有する構成であり、前記放熱空間よりも前記開口部側には、前記放熱空間に収納した余長の飛び出しを規制する飛び出し規制部材が設けられていることを特徴とする分岐箱である。
請求項５に係る発明は、前記蓋部材の前記開口部には、のれん状に形成された弾性部材が前記開口部を塞ぐように取り付けられていることを特徴とする分岐箱である。
請求項６に係る発明は、前記メディアコンバータ及び前記ハブから前記分岐箱本体の外に引き出されて前記分岐箱の外部の電源コンセントに接続される給電線を有することを特徴とする分岐箱である。
【発明の効果】
【０００７】
本発明によれば、分岐箱本体にハブとメディアコンバータとを積層して収納していることにより、ベースプレートにおける占有面積を縮小することができるため、分岐箱の小型化が可能となる。また、開口部にて、接続用コードのコネクタ接続部に対する着脱作業を行えるようになっているので、従来の分岐箱のように蓋部材を離脱させることなく接続用コードの着脱作業を行うことができ、着脱作業の手間がかからない。
また、メディアコンバータとハブとの間に放熱空間が確保されている構成を採用すれば、ハブ及びメディアコンバータから発生する熱が相互に干渉することを防止でき、各ユニットが熱により故障する可能性を低減することができる。
また、放熱空間にメディアコンバータとハブとを接続するユニット間接続用コードの余長を収納する構成を採用すれば、ユニット間接続用コードの余長を収納するスペースを別途確保する必要がなく、しかも、分岐箱本体内のスペースを有効に活用できるため分岐箱の小型化が可能となる。
また、放熱空間よりも開口部側に、放熱空間に収納した余長の飛び出しを規制する飛び出し規制部材が設けられている構成を採用すれば、ユニット間接続用コードの余長が開口部からの飛び出すことを規制できる。
また、蓋部材の開口部に蓋部材を前記ベースプレートに被せた際にその下端部が該ベースプレートと接するようにのれん状に形成された弾性部材が開口部を塞ぐように取り付けられている構成を採用すれば、分岐箱本体を外部と仕切ることができるとともに、蓋部材を離脱しなくても、開口部に手を差し入れるだけで弾性部材が開口して、分岐箱本体内のコネクタの着脱作業を行えるので、作業を簡便に行うことができる。また、分岐箱本体内の通気性も確保することができるとともに、分岐箱本体内への埃の進入を低減することができる。
また、メディアコンバータ及びハブから分岐箱本体の外側に引き出されて分岐箱の外部の電源コンセントに接続される給電線を有する構成を採用すれば、従来の分岐箱のように、分岐箱本体内部にコンセントを収納する必要が無く、分岐箱の小型化が可能となる。
【発明を実施するための最良の形態】
【０００８】
以下、図面を参照し、この発明の実施の形態について説明する。
図１から図６はこの発明の一実施の形態を示す図であり、図１はこの発明を適用した分岐箱を示す平面図であって、（ａ）は蓋部材を離脱させた場合の分岐箱の平面図、（ｂ）は開口部側の側面図、図２は蓋部材の平面図、図３は開口部における弾性部材の取付状態を示す図、図４はメディアコンバータ設置台を示す斜視図、図５は飛び出し規制部材を示す斜視図、図６は図１における分岐箱の概略構成を示すＡ−Ａ断面図である。
【０００９】
図１に示すように、分岐箱１は、ベースプレート２と、該ベースプレート２に被せられる蓋部材３とから構成された分岐箱本体４内に、メディアコンバータ５と、ハブ６とを収容した概略構成になっている。具体的には、分岐箱本体４のベースプレート２上には、ハブ６が設置されていて、このハブ６の上方には、メディアコンバータ設置台７に固定されたメディアコンバータ５が、前記ハブ６から離隔させて設置されている。つまり、分岐箱本体４内において、メディアコンバータ５とハブ６とは、空間（後述の放熱空間５１）を介して、積層状態に設置されている。
【００１０】
ベースプレート２の両側部（図１（ｂ）左右側の側部）に立設された、このベースプレート側壁部１１，１２の中上部には、蓋部材３をネジなどにより固定するための蓋部材取付片１１ａ，１２ａが分岐箱本体４の内面側に突出するように折り返されて形成されている。また、ベースプレート２には、分岐箱１を建物の壁等に設置した際に、壁にネジ止め固定するための貫通孔８が形成されている。
図２及び図３に示すように、蓋部材３は、図１に示すベースプレート２を囲むように形成されたものであって、蓋部材３の長方形状の上壁部１３の三方向の側部には、箱形の筐体である分岐箱本体４の四側壁の内の三つを形成する蓋部材側壁部１４，１５，１６が突設されており、他の一側部は、開口部１７とされている。上壁部１３には、前述した蓋部材取付片１１ａ，１２ａとネジ止めにより係合される係合孔１３ａ，１３ｂが形成されている。開口部１７は、分岐箱本体４の開口部として機能する。また、上壁部１３及び側壁部１４，１６には、放熱孔１８が複数形成されている。放熱孔１８は、図１に示す分岐箱本体４内でハブ６やメディアコンバータ５から発生する熱を放散する機能を有するものであって、開口部１７とは反対側（図２上側）に片寄って形成されている。このように形成されているのは、分岐箱１を開口部１７側を下方にして縦置き配置した場合に、ハブ６やメディアコンバータ５によって加熱されて上昇した空気を効率よく分岐箱本体４の外部に放散させる効果を得ることができるからである。なお、この蓋部材３は、ネジ止め等によりベースプレート２の蓋部材取付片１１ａ，１２ａに固定される。
図３に示すように、開口部１７には、のれん状に形成されて弾性部材（本実施の形態では、スポンジが用いられている。以下、弾性部材のことをスポンジともいう）１９が貼り付けられている。このスポンジ１９には、スリット２０が４本形成されており、このスリット２０により、図１に示す蓋部材３をベースプレート２に被せても、開口部１７における接続用コード２２（後述）の挿通状態には影響を与えない。なお、本実施の形態では、弾性部材としては、柔軟性や通気性を考慮してスポンジを用いたが、これに限るものではなく、例えば、ゴム等を用いることも可能である。
【００１１】
図１に示すように、ハブ６のハブ本体２１は、箱形のユニットであり、このハブ本体２１の一端部２６には、ユニット間接続用コード２４の一端に設けられたコネクタ２４ａが接続されるユニット間接続部２５（電気コネクタ。ジャック）と、通信端末機器の接続用コード２２のコネクタ２２ａが接続されるコネクタ接続部２３（電気コネクタ。ジャック）とが設けられている。
【００１２】
図４に示すように、メディアコンバータ設置台７は、メディアコンバータ５が固定されるメディアコンバータ設置板部３１と、メディアコンバータ設置板部３１の両端から突設された支持板部３２，３３とを有して構成されている。このメディアコンバータ設置台７は、一方の支持板部３２のメディアコンバータ設置板部３１からの突出先端から横方向に突出された板部３４から下方向に突出された取付板部３５をベースプレート２に溶接止めするとともに、他方の支持板部３３も溶接止めにてベースプレート２に固定される。
【００１３】
図１に示すメディアコンバータ５の箱形のユニットである本体４１（以下、メディアコンバータ本体）には、分岐箱本体４に引き入れられた光ファイバコード４２の光コネクタ４２ａが接続される光コネクタ接続部４３（光コネクタレセプタクル）と、該メディアコンバータ５とハブ６との間を電気的に接続するユニット間接続用コード２４の他端のコネクタ２４ｂが接続されるユニット間接続部４０とが設けられている。
【００１４】
ハブ６とメディアコンバータ５との間に確保された空間である放熱空間５１は、メディアコンバータ５及びハブ６の放熱性を確保する機能を果たす。ハブ６とメディアコンバータ５との間隔ｈは特に限定はないが、放熱性を十分に確保する点で、２５ｍｍ以上とすることが好ましい。但し、分岐箱１の小型化を鑑み、間隔ｈが大きすぎないように、光ファイバコード２４の余長の安定収納の点では、間隔ｈは２５〜４０ｍｍの範囲であることが好ましい。
【００１５】
前記放熱空間５１は、ユニット間接続用コード２４の余長の収納を行うための入口（図６において放熱空間５１右側）を前記開口部側に有している。これにより、ユニット間接続用コード２４の余長を放熱空間５１に収納できる。また、放熱空間５１よりも開口部１７側には、放熱空間５１に収納した余長の飛び出しを規制する飛び出し規制部材５２が、ベースプレート２に溶接止めされている。図５に示すように、飛び出し規制部材５２は、ベースプレート２から上方に向けて延びた支柱５３と、この支柱５３の上端で放熱空間５１側に向けて折り返して形成された押さえ片５４と、支柱５３の下端でベースプレート２側に向けて折り返して形成された取付片６０とから構成されており、取付片６０の上面とベースプレート２の下面とが溶接止めされている。飛び出し規制部材５２は、放熱空間５１に収納されているユニット間接続用コード２４の余長が開口部１７側に飛び出さないように押さえ込んで、放熱空間５１における収納状態を安定に保つ。
【００１６】
図１に示すように、分岐箱１が縦置き（開口部１７が下方を向いている）の場合、分岐箱本体４に引き入れられた光ファイバケーブル（インドアケーブルやドロップケーブル等）４２ｂの端末は、ベースプレート２に設けられている光ファイバ固定台４４にクランプ固定されるようになっている。そして、クランプ固定された光ファイバケーブル４２ｂの端末から延びる光ファイバ４２の先端の光コネクタ４２ａが、光コネクタ接続部４３に接続されることで、光ファイバケーブル４２ｂがメディアコンバータ５に接続される。なお、符号４７は、光減衰器であり、図示例では、光コネクタ４２ａと光コネクタ接続部４３との間に光減衰器４７が介在されるようになっているが、光減衰器４７は適宜必要に応じて設けられるものであり、省略することも可能である。
【００１７】
なお、符号５５は、メディアコンバータ５から延びる給電線、符号５６は、ハブ６から延びる給電線５６である。これらの給電線５５，５６は、分岐箱本体４から外部に引き出されており、分岐箱本体４の外部に設けられている電源コンセント５７に接続される。
【００１８】
光ファイバケーブル４２ｂについて、開口部１７付近に配置された光ファイバ固定台４４上における固定位置がベースプレート２から離隔されていることにより、ベースプレート２との接触が防止される。したがって、光ファイバケーブル４２ｂは、ハブ６及びメディアコンバータ５の発熱により熱せられたベースプレート２の熱の影響を受けることがない。開口部１７がスリット２０の入ったのれん状のスポンジ１９で塞がれている構造であることにより、手指で押し開くことができるので、接続用コード２２のコネクタ２２ａのコネクタ接続部２３への着脱作業を、蓋部材３をベースプレート２から取り外すことなく行うことができる。
【００１９】
ハブ６及びメディアコンバータ５からは、熱が発生するが、放熱空間５１が確保していることにより、ハブ６及びメディアコンバータ５の発熱が、メディアコンバータ５、ハブ６に影響することを防止でき、しかも、蓋部材３に形成されている放熱孔１８と、開口部１７に貼り付けているスポンジ１９の通気性とによって、より確実に熱を分岐部本体４の外部に放散することができる。
【００２０】
放熱空間５１に収納されたユニット間接続用コード２４の余長は、飛び出し規制部材５２によって落下が防止される。しかも、蓋部材３を離脱させる場合であっても、押さえ片５４によりユニット間接続用コード２４の余長が放熱空間５１に収納された状態を安定に維持できるため、例えば、接続用コード２２の交換といった分岐箱本体４内の作業を効率よく行える。
【００２１】
上記の構成によれば、分岐箱本体４内にハブ６とメディアコンバータ５とを積層して収納していることにより、ベースプレート２に占めるハブ６とメディアコンバータ５との占有面積を縮小することができるので、分岐箱１の小型化を実現することができる。また、分岐箱本体４の外部に引き出されている給電線５５、５６が分岐箱本体４の外部に電源コンセント５７に接続されるようになっている構成により、分岐箱本体４内に電源コンセント５７を設置しなくて良いことも、分岐箱本体４の小型化に寄与する。また、放熱空間５１が確保されていることにより、ハブ６及びメディアコンバータ５から発生する熱が相互に干渉することを防止でき、熱によるハブ６及びメディアコンバータ５の故障の可能性を低減することができる。
また、開口部１７が設けられていることにより、蓋部材３を離脱させなくても、接続用コード２２のコネクタ２２ａの着脱作業を行うことができるので、着脱作業を手間や時間をかけずに行うことができる。また、開口部１７を塞ぐようにスポンジ１９が設けられていることにより、分岐箱本体４内部に埃などが侵入する可能性を低下させることができる。スポンジ１９は、手指で押し開くことができるため、分岐箱本体４の外からでも開口部１７内の配線を容易に目視確認することができるといった利点もある。これにより、接続用コード２２の誤接続等を防止することができる。つまり、光接続箱、光成端箱の筐体内に、メディアコンバータとハブとを収納し、本発明に係る分岐箱と同様の構成を具備させる。
【００２２】
なお、本発明は、光接続箱、コネクタ付き光成端箱等にも適用することができる。
つまり、光接続箱、光成端箱の筐体内に、メディアコンバータとハブとを収納し、本発明に係る分岐箱と同様の構成を具備させることができる。
【図面の簡単な説明】
【００２３】
【図１】この発明を適用した分岐箱を示す平面図であって、（ａ）は蓋部材を離脱させた場合の分岐箱の平面図、（ｂ）は、開口部側の側面図である。
【図２】蓋部材の平面図である。
【図３】開口部における弾性部材の取付状態を示す図である。
【図４】メディアコンバータ設置台を示す斜視図である。
【図５】飛び出し規制部材を示す斜視図である。
【図６】図１における分岐箱の概略構成を示すＡ−Ａ断面図である。
【図７】従来の分岐箱を示す図であって、（ａ）は、平面図、（ｂ）は側面図である。
【符号の説明】
【００２４】
１…分岐箱、２…ベースプレート、３…蓋部材、４…分岐箱本体、５…メディアコンバータ、６…ハブ、７…メディアコンバータ設置台、１７…開口部、１９…弾性部材（スポンジ）、２２…接続用コード、２３…コネクタ接続部（電気コネクタ。ジャック）、２４…ユニット間接続用コード、２６…一端部、５１…放熱空間、５２…飛び出し規制部材、５５…給電線、５６…給電線、５７…電源コンセント
【図１】
2005191321.tif 000003
【図２】
2005191321.tif 000004
【図３】
2005191321.tif 000005
【図４】
2005191321.tif 000006
【図５】
2005191321.tif 000007
【図６】
2005191321.tif 000008
【図７】
2005191321.tif 000009